(57)【要約】【課題】使用する機能に適した形態となる形態端末装置を提供することを課題とする。【解決手段】表示部１２には表示板１６が設けられ、全てのモードで使用する基本操作部２８が設けられている。操作部１４には、携帯端末として使用する際に必要な操作ボタン２６が設けられている。連結部１８の中心軸２４の回りに回動可能な回動部２０が設けられ、中心軸２４と直交する方向に回転軸２２が立設されている。表示部１２は回転軸２２の回りに１８０°回動可能に支持され、収納時には表示面３２を操作面３０と合わせて閉じることができ、また表示部１２を回動させ表示面３２を外に向けて閉じることもできる。表示部１２を回転軸２２の回りに１８０°回転させ（Ｂ）表示部と回動部を閉じると、表示面３２を外に向けた状態で折畳まれる（Ｃ）。この状態ではＴＶやゲーム等にモードが切り替わり、基本操作部２８で操作する。【選択図】　図２
2004120513.tif 000002
【特許請求の範囲】
【請求項１】
画像表示を行なう画像表示部とボタン操作を行なう操作部とを連結部で回動可能に連結した携帯端末装置であって、前記連結部に対して前記画像表示部を表裏反転可能に連結する連結手段を設けた携帯端末装置。
【請求項２】
前記連結部は、前記連結部に設けられ画像表示部を回動可能とする回動部と、前記回動部の回動中心軸と直交する方向に立設され前記画像表示部を１８０°回動可能に支持する回転軸とからなることを特徴とする請求項１に記載の携帯端末装置。
【請求項３】
前記画像表示部と前記操作部が折畳まれたとき、前記画像表示部の表示面と背面のうち外側を向いている面を検知する検知手段と、
前記検知手段が前記画像表示部が前記表示面を外側に向けて折畳まれた状態であることを検知すると使用モードを変更する制御手段と、
を有することを特徴とする請求項１に記載の携帯端末装置。
【発明の詳細な説明】
【０００１】
【発明の属する技術分野】
本発明は携帯端末装置に関するものである。
【０００２】
【従来の技術】
従来、ＴＶ画面表示、動画表示やゲーム機などの機能を持つ携帯端末装置の場合、その機能に応じて操作に適した形態をとるものはなかった。
【０００３】
特に、携帯電話機のように多数の操作ボタンを備えた機器では、電話機以外の機能を使用する際には操作部は概ね不要であり、間違ってボタンを押し、誤操作となるデメリットの方が大きい。例えば携帯ＴＶとして使用する際に必要な操作ボタンは電源、音量調節、ＣＨ切替え程度で充分であり、使用しない操作ボタン等が外部に露出しているのは好ましくない。（例えば、特許文献１〜３参照）
あるいは、携帯端末装置が操作部を隠す形態となった場合には、その形態に応じた機能に、自動的に切り替わるのが望ましい。
【０００４】
【特許文献１】
特開平１０−２５７４６０号公報（第２〜５頁、第２図）
【特許文献２】
特開平１０−６５７８０号公報（第２〜４頁、第４〜６図）
【特許文献３】
特開平８−２９４０３０号公報（第２〜５頁、第１〜２図）
【０００５】
【発明が解決しようとする課題】
本発明は上記事実を考慮し、使用する機能に適した形態となる形態端末装置を提供することを課題とする。
【０００６】
【課題を解決するための手段】
請求項１に記載の携帯端末装置は画像表示を行なう画像表示部とボタン操作を行なう操作部とを連結部で回動可能に連結した携帯端末装置であって、前記連結部に対して前記画像表示部を表裏反転可能に連結する連結手段を設けたことを特徴とする。
【０００７】
上記構成の発明では、画像表示部と操作部を連結部で折畳む際に画像表示部を表裏反転させ、収納する時とは逆に表示面を外側に向けた状態で折畳むことができる。このため画像表示部の機能に応じた使用形態をとることができる。
【０００８】
請求項２に記載の携帯端末装置は、連結部が、前記連結部に設けられ画像表示部を回動可能とする回動部と、前記回動部の回動中心軸と直交する方向に立設され前記画像表示部を１８０°回動可能に支持する回転軸とからなることを特徴とする。
【０００９】
上記構成の発明では、画像表示部を開閉する回動部の中心軸から立設された回転軸を中心として画像表示部を１８０°回動可能としたことで、複雑なリンク機構などを使わずに画像表示部を表裏反転可能としている。このため画像表示部の機能に応じた使用形態を容易にとることができる。
【００１０】
請求項３に記載の携帯端末装置は、画像表示部と操作部が折畳まれたとき、前記画像表示部の表示面と背面のうち外側を向いている面を検知する検知手段と、前記検知手段が前記画像表示部が前記表示面を外側に向けて折畳まれた状態であることを検知すると使用モードを変更する制御手段と、を有することを特徴とする。
【００１１】
上記構成の発明では、折畳んだ際に画像表示部が表示面を外側に向けていれば、それを検知して使用モードを変更する。このため使用者が切替えスイッチ等を操作してモードを変更する必要がなくなる。
【００１２】
【発明の実施の形態】
図１及び図２には、第１形態に係る携帯端末装置の斜視図が示されている。
【００１３】
図１に示すように、携帯端末装置１０は表示部１２と操作部１４が連結部１８で開閉可能に連結された形状をしている。
【００１４】
表示部１２にはＬＣＤで文字情報やＴＶ、ゲーム画像などを表示できる表示板１６が設けられ、全てのモードで使用する基本操作部２８が設けられている。
【００１５】
操作部１４には、携帯端末として使用する際に必要な操作ボタン２６が設けられ、表示部１２が開いた状態では表示板１６を見ながらボタン操作が行なえる。
【００１６】
連結部１８には、連結部１８の中心軸２４の回りに回動可能な回動部２０が設けられ、中心軸２４と直交する方向に回転軸２２が立設されている。表示部１２は回転軸２２の回りに１８０°回動可能に支持され、収納時には表示板１６の設けられた表示面３２を、操作部１４の操作ボタン２６が設けられた操作面３０と合わせて閉じることができ、また、表示部１２を回動させ表示面３２を外に向けて閉じることもできる。
【００１７】
図２に示すように、表示部１２と操作部１４を開いた状態（Ａ）から、そのまま閉じれば表示部１２は背面３４を外に向けて折畳まれる（Ｄ）。
【００１８】
表示部１２を回転軸２２の回りに１８０°回転させ（Ｂ）、表示部と回動部を閉じると、表示面３２を外に向けた状態で折畳まれる（Ｃ）。この状態ではＴＶやゲーム等にモードが切り替わり、基本操作部２８で操作することができる。
【００１９】
図３には、第１形態に係る携帯端末装置の拡大図が示されている。
【００２０】
図３に示すように、表示部１２を支持する回転軸２２と回動部２０に、表示部１２の方向を検知する検出部３６が設けられている。
【００２１】
回転軸２２の中心を貫通し表示部１２を支えているシャフト４２は表面が絶縁性であり、かつ外周の一部に導通部４０が設けられている。一方、シャフト４２を支持する回転軸２２は内側面が絶縁性であり、かつ２箇所に導通部３８が設けられている。
【００２２】
表示部１２の表示面３２が外に向いた状態の時にのみ、シャフト４２が回動し導通部４０が回転軸２２の導通部３８と接触、導通する。リード線４４を通じて検出部３６すなわち導通部３８と４０の導通状態がシステム制御部５０に送られ、表示部１２の回動位置に応じてモード切替えの判断が行なわれる。
【００２３】
リード線４４が捩れないように連結部１８を通すには、中心軸２４を中空構造とし、開口部４６を設けて中心軸２４の内部にリード線４４を通すようにする。
【００２４】
ここではシャフト４２と回転軸２２に導通部３８と４０を設けたが、表示部１２の背面３４にピン等を設け、表示面３０に設けたスイッチを押させる等の方法で検出してもよい。
【００２５】
図４には、第１形態に係る携帯端末装置のブロック図が示されている。
【００２６】
図４に示すように、検出部３６で検出された表示部１２の裏表位置に関する情報はシステム制御部５０に送られ、表示板１６が内側を向いていると検出された場合、携帯端末装置１０は通常のモードで作動し、例えば携帯電話として機能するときは操作ボタン２６から入力された電話番号に従って電話をかけ、表示板１６には通話状態などの情報を表示する。通話相手の音声はオーディオ処理部５４を通じてスピーカー５８から出力され、使用者の音声はマイク５６で拾われオーディオ処理部５４を通じて信号化され、通話相手に送られる。、
一方、表示板１６が外側を向いていると検出された場合は例えばＴＶモードに切り替わる。このときＴＶチューナー６２から出力された映像信号はビデオ処理部５２を経由してシステム制御部５０へ送られ、表示板１６へＴＶ画像として出力される。同じく音声信号はＴＶチューナー６２からシステム制御部５０を経由してオーディオ処理部５４へ送られ、ＴＶ音声としてスピーカー５８から出力される。このとき、ＴＶとしての操作は操作ボタン２６を使用せず、表示板１６と共に外側すなわち使用者側を向いている基本操作部２８ですべて行なうことができる。
【００２７】
図５には、第２形態に係る携帯端末装置の斜視図が示されている。
【００２８】
（Ａ）に示すように、回動部２０は連結部１８の長さ方向中心にはなく、操作面３０に向かって右側にオフセットしている。このため、回転軸２２もまた操作面３０に向かって右側にオフセットしている。
【００２９】
（Ｃ）のように表示部１２を１８０°回動させて折畳むと、操作面３０は表示部１２によって完全に隠れてしまわず、操作面３０の向かって右側の端が使用者に向いた状態で使用できる。これにより操作ボタン２６の右端の列は、折畳んで使用モードを切替えた状態でも使うことができるので、右手の親指で操作するのに好適である。。この場合、通常モードとは上下が逆になるので操作ボタン２６の２ｎｄファンクション表示も上下逆にする必要がある。
【００３０】
ここでは回動部２０を操作面３０に向かって右側にオフセットしたが、左手での使用を優先するために左側にオフセットしていてもよい。
【００３１】
【発明の効果】
本発明は上記構成としたので、使用する機能に適した形態となる形態端末装置を提供することができた。
【図面の簡単な説明】
【図１】本実施形態１に係る形態端末装置の斜視図である。
【図２】本実施形態１に係る形態端末装置の斜視図である。
【図３】本実施形態１に係る形態端末装置の拡大図である。
【図４】本実施形態１に係る形態端末装置のブロック図である。
【図５】本実施形態２に係る形態端末装置の斜視図である。
【符号の説明】
１０　　携帯端末装置
１２　　表示部
１４　　操作部
１６　　表示板
１８　　連結部
２０　　回動部
２２　　回転軸
２４　　中心軸
２６　　操作ボタン
２８　　基本操作部
３０　　操作面
３２　　表示面
３４　　背面
３６　　検出部
５０　　システム制御部
【図１】
2004120513.tif 000003
【図２】
2004120513.tif 000004
【図３】
2004120513.tif 000005
【図４】
2004120513.tif 000006
【図５】
2004120513.tif 000007